【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
電子マネーの補充をした記録媒体に記録されている媒体識別情報と電子マネーのイシュアを識別するイシュア識別情報、及び補充された電子マネーの金銭的価値を取得し、前記補充された電子マネーの金銭的価値をイシュア毎に集計し、イシュア毎の金銭的価値が各イシュアに届くように口座間取引を実行させる電子マネー管理システム、と通信路を介して接続される入金端末装置であって、
金額データを取得して対応する電子マネーを補充する記録媒体との間でデータの受け渡しを行うリーダ・ライタと、
現金を受け取り、該受け取った現金に対応する金額データを前記リーダ・ライタを介して該リーダ・ライタに装着された記録媒体に送出する補充手段と、
前記リーダ・ライタに装着された記録媒体から媒体識別情報とイシュア識別情報を読み出す識別情報読出手段と、
前記電子マネー管理システムとの間に通信路を確立し、前記読み出した媒体識別情報とイシュア識別情報、及び金銭的価値を送信する補充情報送信手段と、
を具備することを特徴とする入金端末装置。
【請求項２】
現金を回収する現金回収手段を備え、
前記補充手段は、前記回収した現金に対応する金額データを前記リーダ・ライタを介して該リーダ・ライタに装着された記録媒体に送出する、
ことを特徴とする請求項１に記載の入金端末装置。
【請求項３】
前記受け取った現金を、前記電子マネー管理システムの口座に送金する機構を
備えたことを特徴とする請求項１に記載の入金端末装置。
【請求項４】
現金が投入される現金投入口を備え、
前記現金回収手段は、投入された現金を回収する、
ことを特徴とする請求項２に記載の入金端末装置。
【請求項５】
電子マネーを補充する際に補充が正常に終了したか否かを判断する判断手段を備え、
前記補充情報送信手段は、補充が正常に終了しなかった場合、前記補充用に記録媒体に送出した金額データに対応する金銭的価値、前記媒体識別情報、及びイシュア識別情報をリカバリ用の補充情報として送信する、
ことを特徴とする請求項１に記載の入金端末装置。
【請求項６】
前記判断手段で補充が正常に終了しなかったと判断した場合、リカバリ用の補充情報として、前記補充用に記録媒体に送出した金額データに対応する金銭的価値、前記媒体識別情報、及びイシュア識別情報を記憶する記憶手段を備え、
前記補充情報送信手段は、補充が正常に終了しなかった場合に、前記記憶手段に記憶された前記リカバリ用の補充情報を送信する、
ことを特徴とする請求項５に記載の入金端末装置。
【請求項７】
所定の店舗において利用した金銭的価値分の電子マネーを減額した記録媒体に記録されている媒体識別情報と電子マネーのイシュアを識別するイシュア識別情報、利用元の店舗を識別するための店舗識別情報、及び電子マネーの減額情報を取得し、前記減額された電子マネーの金銭的価値をイシュア及び店舗毎に集計し、前記集計された各イシュアに対する金銭的価値を当該各イシュアの銀行口座から受領し、前記集計された各店舗に対する金銭的価値を当該店舗の銀行口座へ届くように、口座間取引を実行させる電子マネー管理システム、と通信路を介して接続される加盟店端末装置であって、
装着された記録媒体との間でデータの受け渡しを行うリーダ・ライタと、
電子マネーの利用額が入力される操作部と、
前記リーダ・ライタに装着された記録媒体に記録されている電子マネーの残高データから前記入力された利用額を減算する減算手段と、
前記リーダ・ライタに装着された記録媒体から媒体識別情報とイシュア識別情報を読み出す識別情報読出手段と、
前記読み出した媒体識別情報とイシュア識別情報、前記利用金額、及び自装置を識別する店舗識別情報を利用ログとして前記電子マネー管理システムに送信する利用ログ送信手段と、
を具備することを特徴とする加盟店端末装置。
【手続補正２】
【補正対象書類名】明細書
【補正対象項目名】０００６
【補正方法】変更
【補正の内容】
【０００６】
（１）請求項１に記載した発明では、電子マネーの補充をした記録媒体に記録されている媒体識別情報と電子マネーのイシュアを識別するイシュア識別情報、及び補充された電子マネーの金銭的価値を取得し、前記補充された電子マネーの金銭的価値をイシュア毎に集計し、イシュア毎の金銭的価値が各イシュアに届くように口座間取引を実行させる電子マネー管理システム、と通信路を介して接続される入金端末装置であって、金額データを取得して対応する電子マネーを補充する記録媒体との間でデータの受け渡しを行うリーダ・ライタと、現金を受け取り、該受け取った現金に対応する金額データを前記リーダ・ライタを介して該リーダ・ライタに装着された記録媒体に送出する補充手段と、前記リーダ・ライタに装着された記録媒体から媒体識別情報とイシュア識別情報を読み出す識別情報読出手段と、前記電子マネー管理システムとの間に通信路を確立し、前記読み出した媒体識別情報とイシュア識別情報、及び金銭的価値を送信する補充情報送信手段と、を入金端末装置に具備させる。
（２）請求項２に記載した発明では、請求項１に記載の入金端末装置において、現金を回収する現金回収手段を備え、前記補充手段は、前記回収した現金に対応する金額データを前記リーダ・ライタを介して該リーダ・ライタに装着された記録媒体に送出する、ことを特徴とする。
（３）請求項３に記載した発明では、請求項１に記載の入金端末装置において、前記受け取った現金を、前記電子マネー管理システムの口座に送金する機構を備えたことを特徴とする。
（４）請求項４に記載した発明では、請求項２に記載の入金端末装置において、現金が投入される現金投入口を備え、前記現金回収手段は、投入された現金を回収する、ことを特徴とする。
（５）請求項５に記載した発明では、請求項１に記載の入金端末装置において、電子マネーを補充する際に補充が正常に終了したか否かを判断する判断手段を備え、前記補充情報送信手段は、補充が正常に終了しなかった場合、前記補充用に記録媒体に送出した金額データに対応する金銭的価値、前記媒体識別情報、及びイシュア識別情報をリカバリ用の補充情報として送信する、ことを特徴とする。
（６）請求項６に記載した発明では、請求項５に記載の入金端末装置において、前記判断手段で補充が正常に終了しなかったと判断した場合、リカバリ用の補充情報として、前記補充用に記録媒体に送出した金額データに対応する金銭的価値、前記媒体識別情報、及びイシュア識別情報を記憶する記憶手段を備え、前記補充情報送信手段は、補充が正常に終了しなかった場合に、前記記憶手段に記憶された前記リカバリ用の補充情報を送信する、ことを特徴とする。
（７）請求項７に記載した発明では、所定の店舗において利用した金銭的価値分の電子マネーを減額した記録媒体に記録されている媒体識別情報と電子マネーのイシュアを識別するイシュア識別情報、利用元の店舗を識別するための店舗識別情報、及び電子マネーの減額情報を取得し、前記減額された電子マネーの金銭的価値をイシュア及び店舗毎に集計し、前記集計された各イシュアに対する金銭的価値を当該各イシュアの銀行口座から受領し、前記集計された各店舗に対する金銭的価値を当該店舗の銀行口座へ届くように、口座間取引を実行させる電子マネー管理システム、と通信路を介して接続される加盟店端末装置であって、装着された記録媒体との間でデータの受け渡しを行うリーダ・ライタと、電子マネーの利用額が入力される操作部と、前記リーダ・ライタに装着された記録媒体に記録されている電子マネーの残高データから前記入力された利用額を減算する減算手段と、前記リーダ・ライタに装着された記録媒体から媒体識別情報とイシュア識別情報を読み出す識別情報読出手段と、前記読み出した媒体識別情報とイシュア識別情報、前記利用金額、及び自装置を識別する店舗識別情報を利用ログとして前記電子マネー管理システムに送信する利用ログ送信手段と、を加盟店端末装置に具備させる。